(57)【要約】      （修正有）【課題】移動式什器のストッパー装置を、簡素でかつ破損しがたい機構をもって確実に動作するようにする。【解決手段】移動式什器Ｗの底部Ｗａへの取り付けベース１と、この取り付けベース１に水平軸をもって回動可能に組み付けられると共に自由端２１側に床面Ｍへの圧接部２２を備えたストッパーパーツ２と、このストッパーパーツ２の圧接部２２を床面Ｍに接しさせないリフト位置にこのストッパーパーツ２を常時付勢する付勢手段と、前記水平軸に交叉する向きのスライド移動可能に取り付けベース１に組み合わされると共に往動によりストッパーパーツ２を上から押して前記付勢に抗する向きにこれを押し下げ回動させるスライドパーツ４とを備えている。【選択図】図５
2008188361.tif 000002
【特許請求の範囲】
【請求項１】
移動式什器の底部への取り付けベースと、
この取り付けベースに水平軸をもって回動可能に組み付けられると共に自由端側に床面への圧接部を備えたストッパーパーツと、
このストッパーパーツの圧接部を床面に接しさせないリフト位置にこのストッパーパーツを常時付勢する付勢手段と、
前記水平軸に交叉する向きのスライド移動可能に取り付けベースに組み合わされると共に往動によりストッパーパーツを上から押して前記付勢に抗する向きにこれを押し下げ回動させるスライドパーツとを備えていることを特徴とする移動式什器のストッパー装置。
【請求項２】
スライドパーツが往動によりストッパーパーツの上部に押し当たるローラー部を有していることを特徴とする請求項１記載の移動式什器のストッパー装置。
【請求項３】
ストッパーパーツの上部であって、スライドパーツが往動されきった位置においてローラー部が接する箇所が、スライドパーツの復動先側に傾斜上端を位置させる傾斜部として構成されていることを特徴とする請求項２記載の移動式什器のストッパー装置。
【請求項４】
ストッパーパーツの圧接部が、周回状をなす弾性変形体によって構成されていることを特徴とする請求項１〜請求項３のいずれか１項に記載の移動式什器のストッパー装置。
【請求項５】
ストッパーパーツの水平軸に直交する中心線を挟んだ両側にそれぞれ圧接部が備えられていると共に、スライドパーツが少なくともこの中心線位置で往動によりストッパーパーツを上から押すようになっていることを特徴とする請求項１〜請求項４のいずれか１項に記載の移動式什器のストッパー装置。
【請求項６】
操作端を取り付けベースの側方に位置させて中間部を取り付けベースに回動可能に組み付けたレバー体の作用端がスライドパーツに回動可能に組み付けられていることを特徴とする請求項１〜請求項５のいずれか１項に記載の移動式什器のストッパー装置。
【発明の詳細な説明】
【技術分野】
【０００１】
この発明は、キャスター付きのワゴンやキャビネットなどの移動式什器の底部に取り付けられて、かかる什器の移動を室内などにおけるその利用位置において解除可能に規制するストッパー装置の改良に関する。
【背景技術】
【０００２】
移動式家具の底部に取り付けられる支持部材と、この支持部材にスライド移動可能に組み合わされる操作部材と、この操作部材に備えられたピンを受け入れる傾斜ガイド孔を備えた接地部材とを備えてなるストッパー装置がある。（特許文献１参照）この装置にあっては、操作部材を移動させることにより、傾斜ガイド孔の傾斜によって接地部材を上下動させ、リフト位置にある接地部材を下降させることで床面に接地部材の接地部を押し付けて家具の移動を規制するようになっている。
【特許文献１】特開２００３−１９０５０号公報
【発明の開示】
【発明が解決しようとする課題】
【０００３】
この発明が解決しようとする主たる問題点は、この種のストッパー装置を、前記の傾斜ガイド孔とこれに納まるピンという機構とは別の、簡素でかつ破損しがたい機構をもって確実に動作するようにする点にある。
【課題を解決するための手段】
【０００４】
前記目的を達成するために、この発明にあっては、移動式什器のストッパー装置を、以下の（１）〜（４）の構成を備えたものとした。
（１）移動式什器の底部への取り付けベースと、
（２）この取り付けベースに水平軸をもって回動可能に組み付けられると共に自由端側に床面への圧接部を備えたストッパーパーツと、
（３）このストッパーパーツの圧接部を床面に接しさせないリフト位置にこのストッパーパーツを常時付勢する付勢手段と、
（４）前記水平軸に交叉する向きのスライド移動可能に取り付けベースに組み合わされると共に往動によりストッパーパーツを上から押して前記付勢に抗する向きにこれを押し下げ回動させるスライドパーツとを備えている。
【０００５】
スライドパーツを往動させることによりストッパーパーツを付勢手段の付勢に抗して押し下げ回動させてその圧接部を床面に押し付けさせこれにより移動式什器をその利用位置に安定的に位置づけさせることができる。往動させたスライドパーツを復動させるとストッパーパーツは前記付勢によりリフト位置に復帰され床面に対する圧接部の圧接は強制的に解かれる。これにより什器のキャスターなどを利用した移動が許容される。
【０００６】
前記スライドパーツに、往動によりストッパーパーツの上部に押し当たるローラー部を備えさせておくこともある。このようにした場合、スライドパーツの往動によってスライドパーツをストッパーパーツに接触抵抗少なくこのローラ部において接しさせることができ、これをスムースに押し下げ回動させることができる。
【０００７】
前記ストッパーパーツの上部であって、スライドパーツが往動されきった位置においてローラー部が接する箇所を、スライドパーツの復動先側に傾斜上端を位置させる傾斜部として構成させておくこともある。このようにした場合、スライドパーツを往動させきってストッパーパーツを押し下げ回動させきった状態においては、前記傾斜部にローラー部をいわば引っかけて、復動操作しない限りスライドパーツが復動しないようにすることができ、このストッパーパーツの押し下げ回動されきった状態を安定的に維持することができる。
【０００８】
前記ストッパーパーツの圧接部を、周回状をなす弾性変形体によって構成させておくこともある。このようにした場合、スライドパーツが往動されるとストッパーパーツは圧接部を弾性変形させながらこの圧接部を床面に吸盤のように押し付けさせて什器の移動をしっかりと阻止する。
【０００９】
前記ストッパーパーツの水平軸に直交する中心線を挟んだ両側にそれぞれ圧接部が備えられていると共に、スライドパーツが少なくともこの中心線位置で往動によりストッパーパーツを上から押すように構成させておくこともある。このようにした場合、かかる二箇所の圧接部をスライドパーツの往動によって略等しい力で床面に押し付け移動式什器の移動を確実に阻止させることができる。
【００１０】
操作端を取り付けベースの側方に位置させて中間部を取り付けベースに回動可能に組み付けたレバー体の作用端をスライドパーツに回動可能に組み付けさせておくこともある。このようにした場合、取り付けベースの側方に突き出されているレバー体の操作端を利用してこのレバー体を回動させることにより、ストッパーパーツを往動及び復動させることができる。
【発明の効果】
【００１１】
この発明にかかるストッパー装置によれば、付勢手段の付勢によりリフト位置に位置づけられるストッパーパーツをスライドパーツの往動によってこのスライドパーツを上から押して押し下げ回動させてその自由端側に設けられた圧接部を床面に押し付け什器の移動を規制することができ、また、スライドパーツを復動させることで前記付勢によりストッパーパーツをリフト位置に復帰させてこの規制を解くことができる。すなわち、この発明にかかるストッパー装置は、簡素でかつ破損しがたい機構をもって確実に動作するものである。
【発明を実施するための最良の形態】
【００１２】
以下、図１〜図１０に基づいて、この発明を実施するための最良の形態について説明する。
【００１３】
なお、ここで図１は移動式什器Ｗの底部Ｗａにストッパー装置を取り付けた状態を下方から見て示している。このように取り付けたストッパー装置を構成するレバー体５における操作端５０を移動未規制状態の什器Ｗの底部Ｗａと床面との間に手指を入れて摘むなどして操作すると図８、図９、図１０の順でスライドパーツ４が往動してストッパーパーツ２が押し下げ回動され図１０の状態において什器Ｗの移動が規制される。図２、図３、図４および図５はストッパーパーツ２が押し下げ回動されきった様子を、図６および図７はストッパーパーツ２がリフト位置にある様子を、それぞれ示している。
【００１４】
この実施の形態にかかるストッパー装置は、キャスターＷｂ付きのワゴンやキャビネットなどの移動式什器Ｗの底部Ｗａに取り付けられて、かかる什器Ｗの移動を室内などにおけるその利用位置において、解除可能に規制させるものである。
【００１５】
かかるストッパー装置は、
（１）取り付けベース１
（２）ストッパーパーツ２
（３）付勢手段３
（４）スライドパーツ４
を備えてなる。
【００１６】
取り付けベース１は、上部１０を移動式什器Ｗの底部Ｗａに添装させるようにして、この什器Ｗの底部Ｗａに取り付けられるものである。かかる取り付けベース１の下部側においてこの取り付けベース１にストッパーパーツ２、付勢手段３およびスライドパーツ４が組み合わされている。図示の例では、かかるストッパーパーツ２は、平面視の状態において略長方形の輪郭形状を有する板状主体１１を有している。この板状主体１１の長さ側の両縁部にはそれぞれ、これらの縁部に亘って下方に突き出す長さ側立ち上がり部１１１が形成されている。また、板状主体１１の巾側の一方縁部には、この縁部に亘って下方に突き出す巾側立ち上がり部１１２が形成されている。また、板状主体１１の下部側には、この板状主体１１の中央において、板状主体１１の長さ方向に沿って続く一対の中央壁部１１３、１１３が形成されている。この中央壁部１１３における巾側立ち上がり部１１２側に向けられた端部とこの巾側立ち上がり部１１２との間にはストッパーパーツ２の後述する自由端２１側が納まる空間１１４が形成され、また、この中央壁部１１３と長さ側立ち上がり部１１１との間にはこのストッパーパーツ２の腕部２３が納まる空間１１５が形成されている。また、この一対の中央壁部１１３、１１３の下端間は中央横板部１１６によって覆われている。スライドパーツ４はこの一対の中央壁部１１３、１１３の間において板状主体１１の長さ方向に沿ったスライド移動可能に取り付けベース１に組み合わされるようになっている。図示の例では、板状主体１１の長さ側においてその縁部から側方に突き出す二箇所の耳部１２、１２を利用して取り付けベース１は什器Ｗの底部Ｗａに取り付けられるようになっている。
【００１７】
ストッパーパーツ２は、前記取り付けベース１に水平軸２０をもって回動可能に組み付けられると共に自由端２１側に床面Ｍへの圧接部２２を備えている。図示の例では、かかるストッパーパーツ２は、一対の腕部２３、２３と、この一対の腕部２３、２３の一端部間に亘る架設部２４とを備えている。そして、かかるストッパーパーツ２は、腕部２３の他端部に止め付けられた水平軸２０の軸端を、取り付けベース１の長さ側立ち上がり部１１１と中央壁部１１３とに軸支させることで、架設部２４の側を自由端２１としてこの架設部２４を上下方向に移動させるようにして取り付けベース１に回動可能に組み付けられている。圧接部２２はストッパーパーツ２の下部であって、前記水平軸２０に直交する線分であって架設部２４を左右に二分する仮想の中心線ｘを挟んだ両側にそれぞれ備えられている。各圧接部２２は、周回状をなす弾性変形体２２１によって構成されている。図示の例では、円板状ベース２２２ａとこの円板状ベース２２２ａの縁部から下方に突き出すスカート状部２２２ｂとを備えてなるゴムやゴム状弾性を備えたプラスチックよりなる吸盤状パーツ２２２の円板状ベース２２２ａをストッパーパーツ２にネジ止めすることで、この吸盤状パーツ２２２のスカート状部２２２ｂによって前記弾性変形体２２１を構成させている。したがって弾性変形体２２１はその下端に向かうに連れて外広がりになっている。これによりこの例では、スライドパーツ４が往動されるとストッパーパーツ２は圧接部２２を弾性変形させながらこれを床面Ｍに吸盤のように押し付けて什器Ｗの移動をしっかりと阻止するようになっている。
【００１８】
また、この例では、かかるストッパーパーツ２の自由端２１には、このストッパーパーツ２の所定の押し下げ位置で取り付けベース１の巾側立ち上がり部１１２の規制部１１２ａに上方から突き当たる顎状をなす被規制部２５が設けられている。
【００１９】
付勢手段３は、ストッパーパーツ２の圧接部２２を床面Ｍに接しさせないリフト位置にこのストッパーパーツ２を常時付勢するものである。この例では、かかる付勢手段３によって、スライドパーツ４を後述するように往動させない限り、ストッパーパーツ２はその自由端２１の上部を取り付けベース１の板状主体１１の下面に突き当てさせたリフト位置に位置づけられるようになっている。（図７）図示の例では、ストッパーパーツ２の腕部２３の他端部には左右一対の軸受け壁２３１、２３１が形成されこの軸受け壁２３１間に前記水平軸２０が支持され、この軸受け壁２３１から外側に突き出された水平軸２０の軸端の一方が取り付けベース１の長さ側立ち上がり部１１１に軸支され、かつ、軸端の他方が中央壁部１１３に軸支されていると共に、一対の軸受け壁部２３１、２３１間にある水平軸２０にねじりコイルバネ３０が巻回されている。そしてこのように巻回されたバネ３０のバネ一端３０１がストッパーパーツ２の腕部２３の他端部に止め付けられバネ他端３０２が取り付けベース１に止め付けられており、リフト位置からストッパーパーツ２が押し下げられるとこのバネ３０の巻回部が弾性変形されるようになっている。すなわち、図示の例では、かかるバネ３０が付勢手段３として機能するようになっている。
【００２０】
スライドパーツ４は、前記水平軸２０に交叉する向きのスライド移動可能に取り付けベース１に組み合わされると共に、往動によりストッパーパーツ２を上から押して前記付勢に抗する向きにこれを押し下げ回動させるものである。
【００２１】
図示の例では、かかるスライドパーツ４は、そのスライド移動方向に長い略長方形の板状をなすように構成されている。スライドパーツ４は、取り付けベース１の一対の中央壁部１１３、１１３間に板面を水平にして納まる巾を備えている。このスライドパーツ４の長さ方向に沿った両端面にはそれぞれリブ４０が形成されていると共に、中央壁部１１３にはこのリブ４０を納める溝１１３ａが形成されており、スライドパーツ４はこの溝１１３ａにリブ４０を納めて取り付けベース１に組み合わされている。図示の例では、かかる取り付けベース１の板状主体１１におけるスライドパーツ４の直上に位置される箇所にスライドパーツ４のスライド移動方向に長い長穴１１７が形成されていると共に、スライドパーツ４の上部には取り付けベース１への組み合わせに伴ってこの長穴１１７に弾発して入り込む爪部４１が形成されており、スライドパーツ４のスライド移動はこの長穴１１７の長さの範囲で行われるようになっている。（図３）
【００２２】
かかるスライドパーツ４の前端４２はスライドパーツ４の往動前位置（図６の位置）において取り付けベース１の中央横板部１１６より前方にあって、ストッパーパーツ２の架設部２４上に位置されている。ストッパーパーツ２の架設部２４の上部には隆起部２４１が形成されており、往動前位置にあるスライドパーツ４の前端４２はリフト位置にあるストッパーパーツ２の隆起部２４１の裾部２４１ａに付勢手段３の付勢により支持されるようになっている。（図７）このスライドパーツ４の前端４２には前記水平軸２０と平行をなす回転軸４３１を中心に回転されるローラー部４３が備えられており、スライドパーツ４はこのローラー部４３のローラー下端をもってストッパーパーツ２の上部２６に接するようになっている。これによりこの例では、スライドパーツ４の往動によってストッパーパーツ２に接触抵抗少なくこのローラー部４３において接しこれをスムースに押し下げ回動させるようになっている。
【００２３】
また、この実施の形態にあっては、操作端５０を取り付けベース１の側方に位置させて中間部５１を取り付けベース１に垂直軸５２をもって回動可能に組み付けたレバー体５の作用端５３がスライドパーツ４に回動可能に組み付けられている。図示の例では、レバー体５は操作端５０から中間部５１までの部分に対し中間部５１から作用端５３までの部分を略直交させるようにしたＬ字状をなすように構成されている。そして、レバー体５は、そのＬ字の屈曲外側をスライドパーツ４の往動先Ｆ側に向けた状態で、ストッパーパーツ２の一方の腕部２３の他端部の後方において中間部５１を取り付けベース１に回動可能に組み付けると共に、作用端５３に形成された連係突部５３１をスライドパーツ４の後端に形成された左右方向に長い連係長穴４４に下方から入れ込ませている。これにより、この例にあっては、取り付けベース１の側方に突き出されているレバー体５の操作端５０を利用してこのレバー体５を回動させることにより、ストッパーパーツ２を往動及び復動させることができるようになっている。
【００２４】
この実施の形態にかかるストッパー装置にあっては、スライドパーツ４を往動させることによりストッパーパーツ２を付勢手段３の付勢に抗して押し下げ回動させてその圧接部２２を床面Ｍに押し付けさせこれにより移動式什器Ｗをその利用位置に安定的に位置づけさせることができる。往動させたスライドパーツ４を復動させるとストッパーパーツ２は前記付勢によりリフト位置に復帰され床面Ｍに対する圧接部２２の圧接は強制的に解かれる。これにより什器ＷのキャスターＷｂなどを利用した移動が許容される。
【００２５】
この実施の形態にあっては、ストッパーパーツ２の架設部２４の上部に形成された隆起部２４１は、前側（スライドパーツ４の往動先Ｆ側）と後側（スライドパーツ４の復動先Ｂ側）とにそれぞれ傾斜方向を異ならせた傾斜部２４１ｂ、２４１ｃを備え両者の接し合う箇所を稜部２４１ｄとするように構成されている。前後の傾斜部２４１ｂ、２４１ｃは稜部２４１ｄにおいて下方に鈍角を形成させるように交わっている。スライドパーツ４の往動前位置（図７の位置）においては、スライドパーツ４のローラー部４３は後側の傾斜部２４１ｃの傾斜下端（裾部２４１ａ）に付勢手段３の付勢により支持されスライドパーツ４は往動前位置に位置づけられる。スライドパーツ４のローラー部４３のローラー下端の移動軌跡は仮想の水平の直線に沿ったものとなっている一方で、リフト位置にあるストッパーパーツ２の隆起部２４１はこの移動軌跡よりも上方に稜部２４１ｄを位置させている。従って、この状態からスライドパーツ４を往動させるとこの後側の傾斜部２４１ｃにローラー部４３が押し当てられストッパーパーツ２は徐々に押し下げ回動される。かかる隆起部２４１における稜部２４１ｄ側には、ストッパーパーツ２の中心線ｘに沿った溝２４１ｅが形成されており、そのリフト位置において、取り付けベース１の板状主体１１の下部に設けられたリブ１１８がこの溝２４１ｅに入り込むようになっている。（図７）
【００２６】
スライドパーツ４が往動されきると、ローラー部４３は隆起部２４１の稜部２４１ｄを乗り越え前側の傾斜部２４１ｂに上方からローラー下端を接しさせるようになっている。（図５）この例ではスライドパーツ４の往動によりストッパーパーツ２が押し下げ回動されると前側の傾斜部２４１ｂは稜部２４１ｄを傾斜上端とする前下がりの傾斜を持つようになっている。すなわち、スライドパーツ４が往動されきった位置においてそのローラー部４３が接するストッパーパーツ２の上部２６は、スライドパーツ４の復動先Ｂ側に傾斜上端を位置させる傾斜部２４１ｂとなっている。
【００２７】
これによりこの例では、スライドパーツ４を往動させきってストッパーパーツ２を押し下げ回動させきった状態においては、隆起部２４１の傾斜部にローラー部４３をいわば引っかけて、復動操作しない限りスライドパーツ４が復動しないようにすることができ、このストッパーパーツ２の押し下げ回動されきった状態を安定的に維持できるようになっている。
【００２８】
また、この実施の形態にあっては、ストッパーパーツ２の水平軸２０に直交する中心線ｘを挟んだ両側にそれぞれ圧接部２２が備えられていると共に、スライドパーツ４が少なくともこの中心線ｘ位置で往動により前記ローラー部４３をもってストッパーパーツ２を上から押すようになっている。これにより、この例では、かかる二箇所の圧接部２２をスライドパーツ４の往動によって略等しい力で床面Ｍに押し付け移動式什器Ｗの移動を確実に阻止させることができるようになっている。
【図面の簡単な説明】
【００２９】
【図１】ストッパー装置の使用状態を示した底面図
【図２】同底面図
【図３】同平面図
【図４】同側面図
【図５】同断面図
【図６】同底面図
【図７】同断面図
【図８】同側面構成図
【図９】同側面構成図
【図１０】同側面構成図
【符号の説明】
【００３０】
Ｗ  什器
Ｗａ  底部
１  取り付けベース
２  ストッパーパーツ
２０  水平軸
２１  自由端
２２  圧接部
３  付勢手段
４  スライドパーツ
【図１】
2008188361.tif 000003
【図２】
2008188361.tif 000004
【図３】
2008188361.tif 000005
【図４】
2008188361.tif 000006
【図５】
2008188361.tif 000007
【図６】
2008188361.tif 000008
【図７】
2008188361.tif 000009
【図８】
2008188361.tif 000010
【図９】
2008188361.tif 000011
【図１０】
2008188361.tif 000012